(57)【要約】ビデオデータを表示するための方法が提案される。ここでは、ビデオデータがデータ担体から、無線放送受信器であるカーラジオにおいてロードされ、インターフェースを介して電子携帯機器へ伝送される。前記電子携帯機器は、ビデオデータのデコーディングおよびビデオデータの再生を引き継ぐ。所属のオーディオデータは、カーラジオによってデコーディングおよび再生されるか、または電子携帯機器によってデコーディングおよび再生される。
2004523177.tif 000002
【特許請求の範囲】
【請求項１】
ビデオデータを表示するための方法において、
ビデオデータを無線放送受信器（１）のデータ担体（１０）から、少なくとも１つの電子携帯機器（４）へ伝送することによって伝送し、
ビデオデータを、前記少なくとも１つの電子携帯機器（４）によってデコーディングし、表示部（５）によって表示することを特徴とする方法。
【請求項２】
少なくとも１つの電子携帯機器（４）から、無線放送受信器（１）のデータ担体（１０）にアクセスするために制御データを該無線放送受信器（１）へ伝送する、請求項１記載の方法。
【請求項３】
無線放送受信器（１）自体が、ビデオデータに所属するオーディオデータをデコーディングし、音響的に再生するための手段によって再生する、請求項１または２記載の方法。
【請求項４】
少なくとも１つの電子携帯機器（４）は、音響的に再生するために、ビデオデータに所属するオーディオデータを無線放送受信器（１）へ伝送し戻す、請求項１または２記載の方法。
【請求項５】
少なくとも１つの電子携帯機器（４）自体が、ビデオデータに所属するオーディオデータをデコーディングし、スピーカ（２３）によって再生する、請求項１または２記載の方法。
【請求項６】
無線放送受信器において、
データ担体（１０）のための読み出し装置（２）と、オーディオデータをデコーディングするための第１のプロセッサ（８）と、データを伝送するための第１のインターフェース（１１，１２）と、オーディオデータを再生するための手段（２０，２１）とが設けられており、
前記第１のインターフェース（１１，１２）は、少なくとも１つの電子携帯機器（４）からデータを伝送し、かつ前記少なくとも１つの電子携帯機器（４）へデータを伝送するために使用されることを特徴とする、請求項１から５までのいずれか１項記載の方法を実施するための無線放送受信器。
【請求項７】
電子携帯機器において、
データを伝送するための第２のインターフェース（１３，１４）と、ビデオデータをデコーディングするための第２のプロセッサ（１５）と、ビデオデータを再生するための表示部（５）とが設けられており、
前記第２のインターフェース（１３，１４）は、無線放送受信器（１）からデータを伝送し、かつ前記無線放送受信器（１）へデータを伝送するために使用されることを特徴とする、請求項１から４までのいずれか１項記載の方法を実施するための電子携帯機器。
【請求項８】
請求項５記載の方法を実施するための電子携帯機器において、
第２のプロセッサ（１５）はオーディオデータをデコーディングするために構成されており、該電子携帯機器（４）は、オーディオデータを音響的に再生するための手段（２２，２３）に接続されている、請求項７記載の電子携帯機器。
【発明の詳細な説明】
【技術分野】
【０００１】
従来の技術
本発明は、独立請求項の上位概念による、ビデオデータを表示するための方法に関する。
【０００２】
無線放送受信器である今日のカーラジオは、しばしばＣＤドライブを有している。ナビゲーション装置もまたＣＤ−ＲＯＭドライブを有し、このＣＤ−ＲＯＭドライブでオーディオＣＤを再生することができる。
【０００３】
本発明の利点
これに対して、独立請求項の特徴を有する、ビデオデータを表示するための本発明による方法は、以下の利点を有する。すなわち、自動車内でデータ担体上に存在するビデオデータを、大きなディスプレイを有する電子携帯機器によって表示できるという利点を有する。前記電子携帯機器は、有利にはパーソナルデジタルアシスタント（ＰＤＡ）または移動電話（ＵＭＴＳ）である。さらに、ビデオデコーディングも電子携帯機器上で実行される。それゆえ、無線放送受信器であるカーラジオのプロセッサがビデオデコーディングを実行する必要がなくなる。通常、カーラジオもディスプレイを有するが、このディスプレイは、たとえば長編映画をここで十分に表示するためには小さすぎる。こうするために、電子携帯機器を使用することができる。さらにこのことは、必要に応じて実施することができる。すなわち、そもそもパーソナルデジタルアシスタントを希望する人は付加価値を得られるが、ビデオ表示部を自動車内に所有することを放棄する他の人は、不必要なハードウェアを購入しなくてもよい。ここでは、ビデオデータに所属するオーディオデータのオーディオデコーディングは、ＰＤＡによってデコーディングして再生するか、またはカーラジオによって、カーラジオのステレオ装置を利用するために使用することができる。
【０００４】
有利には、無線放送受信器はビデオデータをブロードキャストモードにおいて異なる電子携帯機器へ送信することができる。こうすることによって、１つより多くの電子携帯機器がビデオデータを同時に表示することができる。ここではとりわけ、複数のユーザがそれぞれのＰＤＡによって異なるビデオを見ることができるよう、ビデオデータの組み合わせが供給されるように構成することができる。
【０００５】
従属請求項に記載された手段および発展形態によって、独立請求項に記載された、ビデオデータを表示するための方法を有利に改善することができる。
【０００６】
特に有利には、電子携帯機器はデータ担体に対する制御データをカーラジオへ伝送するように構成されている。従って、特別なデータをデータ担体から呼び出すことができる。データ担体は、たとえばビデオデータを繰り返す際、またはビデオデータの特別な呼び出しの際にも必要とされる場合がある。
【０００７】
さらに有利には、データ担体のための読み出し装置と、オーディオデータをデコーディングするための第１のプロセッサと、電子携帯機器からデータを伝送し、かつ電子携帯機器へデータを伝送するための第１のインターフェースと、オーディオデータを再生するための手段とを有するカーラジオが、本発明による方法を実施するために設けられている。データを伝送するための前記インターフェースは、赤外線伝送インターフェースか、無線伝送インターフェースか、または有線接続式の伝送インターフェースである。
【０００８】
本発明による方法を実施するための電子携帯機器は、互換性のあるインターフェースと、ビデオデータをデコーディングするための第２のプロセッサと、ビデオデータを再生するための表示部とを有する。発展形態では、電子携帯機器のプロセッサがオーディオデータもデコーディングできるように構成されている。ここでは、オーディオデータを音響的に再生するための手段、つまりスピーカが電子携帯機器に未だ組み込まれていない場合、電子携帯機器を該手段に接続することもできる。
【０００９】
図面
本発明の実施例が図面に示されており、この実施例を以下の説明において、より詳細に説明する。図１は本発明による装置を示しており、図２は本発明による装置のブロック回路図を示している。図３は本発明による方法のフローチャートである。
【００１０】
説明
今日、ビデオはますますデジタル化されている。ここでは、とりわけＭＰＥＧ２およびＭＰＥＧ４が情報源符号化として使用される。これらによって、高価値の長編ビデオを媒体に記憶することができる。本発明では、データ担体上、つまりＣＤまたはＤＶＤ上、無線放送受信器であるカーラジオに存在するビデオデータが表示される電子携帯機器を使用することが提案される。ＭＰＥＧ４の他に、ＤＦＸまたはリアルビデオ等の別のビデオフォーマットも使用することができる。これらのビデオフォーマットによって、より高い圧縮が可能になる。
【００１１】
ここでは電子携帯機器という言葉はＰＤＡだけでなく、移動電話も指す。これらの電子携帯機器は、とりわけＵＭＴＳでは大きなディスプレイを有するので、ビデオを表示するのに適している。以下では、無線放送受信器という言葉はカーラジオを指す。しかし、テレビチューナを無線放送受信器として設けることもできる。テレビチューナとして、アナログチューナ、ＤＶＢ（Digital Video Broadcasting）およびＤＭＢ（Digital Multimedia Broadcasting）が考えられる。
【００１２】
図１は、本発明による装置の第１の図を示している。データ担体のためのドライブ２と、入力装置１８と、インターフェース３とを有するカーラジオ１は、インターフェース３を介して、電子携帯機器であるパーソナルデジタルアシスタント（ＰＤＡ）４に接続されている。ＰＤＡ４は表示部５および入力装置２５を有する。
【００１３】
入力装置１８ないしは２５は、ここではそれぞれキーボードとして構成されているが、音声コントロール部または別の入力エレメントも可能である。ドライブ２はここではＣＤＲＯＭのために使用されるが、択一的にＤＶＤ、チップカードおよびミニディスクのためのドライブを使用することもできる。カーラジオ２によって、一方では無線放送プログラムを受信することができ、他方ではデータ担体を再生することができる。データ担体上にはオーディオデータないしはビデオデータが存在する。発展形態では、受信されたマルチメディアデータを格納するために、ＣＤ−ＲＯＭまたは択一的な記憶媒体が使用されるように構成することができる。というのも、デジタル無線放送信号を受信する場合に、ビデオ等のほぼ任意のマルチメディアデータを伝送することができるからである。このことはＤＡＢ（Digital Audio Broadcasting）でも同様である。
【００１４】
インターフェース３は、ここでは無線インターフェースとして構成されており、たとえばブルートゥースによって実現される。しかし、インターフェース３は赤外線インターフェースまたは有線接続式インターフェースとして構成することもできる。ビデオデコーディングソフトウェアを有するＰＤＡは表示部５を有し、この表示部５はここではＬＣＤ画面として構成されている。しかし、他の画面技術ないしは表示技術も可能である。とりわけ、ブルートゥースによってブロードキャストモードが可能になるので、同時に複数のユーザがＰＤＡによってビデオを見ることができる。さらに、ビデオデータの組み合わせを使用することによって、異なるユーザが異なるビデオを見ることもできる。この場合ビデオデコーディングおよびオーディオデコーディングを、個々のＰＤＡによって実行すべきである。そうすれば、個々のＰＤＡに接続されたヘッドフォンを介してオーディオデータを再生することができる。
【００１５】
ビデオデータはカーラジオによってデータ担体２から読み出され、インターフェース３を介してＰＤＡ４へ伝送される。ＰＤＡ４はこのビデオデータを、ビデオデコーディングソフトウェアまたはビデオデコーディングハードウェアによってデコーディングし、表示部５に表示する。場合によってはビデオデータに所属するオーディオデータのデコーディングは、カーラジオ自体によって実行されるか、またはＰＤＡ４によって実行される。従って、ビデオデータに所属するオーディオデータをＰＤＡ４から分離し、再びカーラジオへ伝送し戻すこともでき、カーラジオがオーディオデータのデコーディングおよび再生を引き継ぐことができる。
【００１６】
図２は、図１に示された本発明の装置のブロック回路図である。カーラジオ１は、以下のコンポーネントを有する：アンテナ６、高周波受信器７、プロセッサ８、メモリ９、データ担体１０、オーディオアンプ２０、スピーカ２１、信号処理部１７、入力装置１８、ブルートゥース受信モジュール１１およびアンテナ１２。ここでは、無線放送信号を受信するためのアンテナ６は高周波受信器７に接続されている。高周波受信器７は、受信された無線放送信号をフィルタリングして増幅し、中間周波数に変換する。さらに、高周波受信器７は受信された無線放送信号のデジタル化を引き継ぐ。したがって、後続の処理をデジタルで行うことができる。通信路復号化および情報源復号化は、第１のデータ入出力端を介して接続されたプロセッサ８によって引き継がれる。
【００１７】
第２のデータ入出力端を介して、プロセッサ８はデータ担体１０に接続されている。このデータ担体１０から、プロセッサ８は相応のビデオデータおよびオーディオデータをロードし、再生するかないしはＰＤＡ４へ伝送する。こうするために、プロセッサ８は場合によってはＰＤＡ４からの制御データを使用する。プロセッサ８は一時記憶するために、第３のデータ入出力端に接続されたメモリ９を使用する。カーラジオ１自体が再生するオーディオデータは、プロセッサ８からオーディオアンプ２０へ伝送され、オーディオアンプ２０はスピーカ２１を使用して音響的に再生する。第４の入出力端を介して、プロセッサ８はブルートゥース送受信モジュール１１接続されている。ブルートゥース送受信モジュール１１には第２のデータ入出力端を介してアンテナ１２が接続されている。このアンテナ１２は、信号を送信および受信するために使用される。ユーザは入力装置１８を入力媒体として使用し、信号処理部１７はプロセッサ８のために入力データをフォーマットする。
【００１８】
ＰＤＡ４は、ブルートゥース信号を送信および受信するためのアンテナ１３を有する。このアンテナ１３は、ブルートゥース送受信モジュール１４の第１のデータ入出力端に接続されている。ブルートゥース送受信モジュール１４は、第２のデータ入出力端を介してプロセッサ１５に接続されている。第２のデータ入出力端を介してプロセッサ１５はメモリ１６に接続されている。第１のデータ出力端を介してプロセッサ１５はオーディオアンプ２２に接続されており、このオーディオアンプ２２もまたスピーカ２３に接続されている。第２のデータ出力端を介してプロセッサ１５は信号処理部１９に接続されており、この信号処理部１９によって表示部５が駆動される。１つのデータ出力端を介してプロセッサ１５は信号処理部２４に接続されており、この信号処理部２４は入力装置２５からの入力信号をプロセッサ１５のために変換する。
【００１９】
ブルートゥース送受信モジュール１１および１４はそれぞれ、信号の送信または受信に応じて、送信増幅ないしは受信増幅、フィルタリング、デジタル/アナログ変換またはアナログ/デジタル変換を実行する。ここでは、無線伝送のためにその都度アナログ信号が使用され、受信された信号は後続の処理のためにデジタル信号に変換し戻される。
【００２０】
図３には、ビデオデータを表示するための本発明による方法がフローチャートとして示されている。ステップ２６では、ビデオデータがデータ担体１０から、カーラジオ１においてプロセッサ８によってロードされる。その後このビデオデータは、場合によってはメモリ９に一時記憶された後、ＰＤＡ４へ伝送される。場合によっては、ここでオーディオデータがビデオデータから分離される。
【００２１】
ステップ２７ではブルートゥース送受信モジュール１１およびアンテナ１２によって、ビデオデータがＰＤＡ４へブルートゥース信号として伝送される。アンテナ１３およびブルートゥース送受信モジュール１４によってビデオデータは受信され、ＰＤＡ４のプロセッサ１５へさらに伝送される。
【００２２】
ＰＤＡ１５はステップ２８で、ビデオデータのデコーディングを実行する。このデコーディングのため、ＰＤＡ１５は相応のビデオデコーディングソフトウェアおよび/またはビデオデコーディングハードウェアを有する。デコーディングするためにプロセッサ１５はメモリ１６を一時メモリとして使用する。以下に、場合によってはビデオデータに所属するオーディオデータのデコーディングを何が実行するのかという質問がなされる。ステップ２９ではこのことが問い合わされ、特にオーディオデータがカーラジオ１によってデコーディングされるべきか否かが問い合わされる。もしそうであれば、ステップ３２でオーディオデータは再びカーラジオ１へ伝送し戻される。ステップ３０では、オーディオデータはプロセッサ１５によってデコーディングされるか、またはプロセッサ８によってデコーディングされる。ステップ３１および３３は実質的に並行して実行され、両ステップではスピーカ２１または２３および表示部５によって、オーディオデータないしはビデオデータが再生される。
【００２３】
ビデオデータがカーラジオ１のプロセッサ８によってデコーディングされる場合、ＰＤＡ４の表示部５上での表示の最適化が実行される。この最適化はたとえば、画像の分解能および色の低減、画像の９０°回転、およびフレーム率の低減である。ＰＤＡ４の表示部５は一般的に横幅よりも縦幅の方が長いが、ビデオは縦幅よりも横幅の方が長いので、９０°の回転はユーザにとって有意である。
【図面の簡単な説明】
【００２４】
【図１】本発明による装置を示している。
【００２５】
【図２】本発明による装置のブロック回路図を示している。
【００２６】
【図３】本発明による方法のフローチャートである。
【国際公開パンフレット】
2004523177.tif 000003
2004523177.tif 000004
2004523177.tif 000005
2004523177.tif 000006
2004523177.tif 000007
2004523177.tif 000008
2004523177.tif 000009
2004523177.tif 000010
2004523177.tif 000011
2004523177.tif 000012
2004523177.tif 000013
2004523177.tif 000014
2004523177.tif 000015
2004523177.tif 000016
【手続補正書】
【提出日】平成15年8月29日(2003.8.29)
【手続補正１】
【補正対象書類名】特許請求の範囲
【補正対象項目名】全文
【補正方法】変更
【補正の内容】
【特許請求の範囲】
【請求項１】
ビデオデータを表示するための方法であって、
ビデオデータを無線放送受信器（１）のデータ担体（１０）から、少なくとも１つの電子携帯機器（４）へ伝送することによって伝送し、
ビデオデータを、前記少なくとも１つの電子携帯機器（４）によってデコーディングし、表示部（５）によって表示する形式の方法において、
前記少なくとも１つの電子携帯機器（４）は、音響的に再生するために、ビデオデータに所属するオーディオデータを無線放送受信器（１）へ伝送し戻すことを特徴とする方法。
【請求項２】
少なくとも１つの電子携帯機器（４）から、無線放送受信器（１）のデータ担体（１０）にアクセスするために制御データを該無線放送受信器（１）へ伝送する、請求項１記載の方法。
【請求項３】
無線放送受信器（１）自体が、ビデオデータに所属するオーディオデータをデコーディングし、音響的に再生するための手段によって再生する、請求項１または２記載の方法。
【請求項４】
無線放送受信器の使用において、
データ担体（１０）のための読み出し装置（２）と、オーディオデータをデコーディングするための第１のプロセッサ（８）と、データを伝送するための第１のインターフェース（１１，１２）と、オーディオデータを再生するための手段（２０，２１）とが設けられており、
前記第１のインターフェース（１１，１２）を、少なくとも１つの電子携帯機器（４）からデータを伝送し、かつ前記少なくとも１つの電子携帯機器（４）へデータを伝送するために使用することを特徴とする、請求項１から３までのいずれか１項記載の方法を実施するための無線放送受信器の使用。
【請求項５】
電子携帯機器の使用において、
データを伝送するための第２のインターフェース（１３，１４）と、ビデオデータをデコーディングするための第２のプロセッサ（１５）と、ビデオデータを再生するための表示部（５）とが設けられており、
前記第２のインターフェース（１３，１４）を、無線放送受信器（１）からデータを伝送し、かつ前記無線放送受信器（１）へデータを伝送するために使用することを特徴とする、請求項１から３までのいずれか１項記載の方法を実施するための電子携帯機器の使用。
【国際調査報告】
2004523177.tif 000017
2004523177.tif 000018
2004523177.tif 000019
2004523177.tif 000020
2004523177.tif 000021
2004523177.tif 000022